(57)【要約】【課題】端末装置が必要な送信データを適切に受信できるようにする。【解決手段】通知装置６０は、送信データが初回送信データ又は繰り返し送信データのいずれであるかを判断する送信データ判断部６１と、送信データ判断結果に基づいて、送信データが初回送信データ又は繰り返し送信データのいずれであるかを示す識別ＮＩを作成する指示データ作成部６２と、識別ＮＩを移動局に送信する指示データ送信部６３とを備える。【選択図】図２
2006054615.tif 000002
【特許請求の範囲】
【請求項１】
端末装置に送信される送信データが、初回送信データ又は繰り返し送信データのいずれであるかを判断する送信データ判断部と、
該送信データ判断部による送信データ判断結果に基づいて、前記送信データが前記初回送信データ又は前記繰り返し送信データのいずれであるかを示す識別指示データを作成する指示データ作成部と、
前記識別指示データを前記端末装置に送信する指示データ送信部と
を備えることを特徴とする通知装置。
【請求項２】
前記指示データ作成部は、ブロードキャスト送信又はマルチキャスト送信に関する指示データを送信する指示チャネルにより送信する前記識別指示データを作成することを特徴とする請求項１に記載の通知装置。
【請求項３】
送信データが初回送信データ又は繰り返し送信データのいずれであるかを示す識別指示データを受信する指示データ受信部と、
前記識別指示データに基づいて、前記送信データが前記初回送信データ又は繰り返し送信データのいずれであるかを判断する指示データ判断部と、
該指示データ判断部による指示データ判断結果に基づいて、前記送信データを受信するか否かを判断する受信判断部と、
該受信判断部による受信判断結果に基づいて、前記送信データを受信する送信データ受信部と
を備えることを特徴とする端末装置。
【請求項４】
前記受信判断部は、前記指示データ判断結果と、前記送信データ受信部による前記送信データの受信結果に基づいて、前記送信データを受信するか否かを判断することを特徴とする請求項３に記載の端末装置。
【請求項５】
前記指示データ判断部は、複数の前記識別指示データに基づいて、前記送信データが前記初回送信データ又は繰り返し送信データのいずれであるかを判断することを特徴とする請求項３又は４に記載の端末装置。
【請求項６】
端末装置に送信される送信データが、初回送信データ又は繰り返し送信データのいずれであるかを判断し、送信データ判断結果に基づいて、前記送信データが前記初回送信データ又は前記繰り返し送信データのいずれであるかを示す識別指示データを作成し、該識別指示データを前記端末装置に送信する通知装置と、
前記識別指示データを受信し、該識別指示データに基づいて前記送信データが前記初回送信データ又は繰り返し送信データのいずれであるかを判断し、指示データ判断結果に基づいて前記送信データを受信するか否かを判断し、受信判断結果に基づいて前記送信データを受信する端末装置と
を備えることを特徴とする通信システム。
【請求項７】
端末装置に送信される送信データが、初回送信データ又は繰り返し送信データのいずれであるかを判断し、
送信データ判断結果に基づいて、前記送信データが前記初回送信データ又は前記繰り返し送信データのいずれであるかを示す識別指示データを作成し、
該識別指示データを前記端末装置に送信する通信方法。
【請求項８】
送信データが初回送信データ又は繰り返し送信データのいずれであるかを示す識別指示データを受信し、
該識別指示データに基づいて前記送信データが前記初回送信データ又は繰り返し送信データのいずれであるかを判断し、
指示データ判断結果に基づいて前記送信データを受信するか否かを判断し、
受信判断結果に基づいて前記送信データを受信することを特徴とする通信方法。
【発明の詳細な説明】
【技術分野】
【０００１】
本発明は、通知装置、端末装置、通信システム及び通信方法に関する。
【背景技術】
【０００２】
従来、マルチメディアコンテンツを複数の移動局にブロードキャスト送信又はマルチキャスト送信するサービス（Multimedia Broadcast Multicast Service、以下「ＭＢＭＳ」という）が行われている（例えば、非特許文献１参照）。
【０００３】
移動局は、まず、マルチメディアコンテンツを送信するデータチャネルを受信するために必要な制御データを送信する制御チャネルの受信を指示する指示データを送信する指示チャネルを受信する。移動局は、ＭＢＭＳに興味があるとき、指示チャネル上の指示データを確認し、必要な制御チャネルを受信する。そして、移動局は、制御チャネルから得た制御データを用いてデータチャネルを受信する。制御チャネル上では、同じ制御データが繰り返し送信されている。
【非特許文献１】3GPP TSG-RAN,“TS25.346 V6.0.0 Introduction of Multimedia broadcast multicast service(MBMS) in Radio access network (RAN)”,2004年3月
【発明の開示】
【発明が解決しようとする課題】
【０００４】
しかしながら、従来方法では、移動局は、制御チャネルにより送信される制御データが、初めて送信されたものであるか、繰り返し送信されているものであるかを識別できなかった。そのため、移動局は、以前に受信した制御データを何度も受信してしまう場合があった。このように移動局等の端末装置は、制御データ等の送信データを、必要なものだけ適切に受信することができなかった。その結果、端末装置の電池の消耗や、無駄な送信データを受信することによる端末装置の制御負荷の増大等を招いていた。
【０００５】
そこで、本発明は、端末装置が必要な送信データを適切に受信できるようにすることを目的とする。
【課題を解決するための手段】
【０００６】
本発明に係る通知装置は、端末装置に送信される送信データが、初回送信データ又は繰り返し送信データのいずれであるかを判断する送信データ判断部と、送信データ判断部による送信データ判断結果に基づいて、送信データが初回送信データ又は繰り返し送信データのいずれであるかを示す識別指示データを作成する指示データ作成部と、識別指示データを端末装置に送信する指示データ送信部とを備えることを特徴とする。「送信データ判断結果」は、識別指示データを作成する際に、送信データが初回送信データ又は繰り返し送信データのいずれであるかを判断した結果をいう。
【０００７】
このような通知装置によれば、送信データが、初めて送信される初回送信データであるか、既に一度は送信され、繰り返し送信される繰り返し送信データのいずれであるかを判断し、初回送信データか繰り返し送信データであるかを示す識別指示データを作成することができる。そして、通知装置は、その識別指示データを端末装置に送信することにより、端末装置に初回送信データか繰り返し送信データであるかを通知できる。これにより、通知装置は、端末装置に必要な送信データだけを適切に受信させることができる。
【０００８】
指示データ作成部は、ブロードキャスト送信又はマルチキャスト送信に関する指示データを送信する指示チャネルにより送信する識別指示データを作成することが好ましい。これによれば、通知装置は、既存の指示チャネルを利用して端末装置に識別指示データを送信できる。
【０００９】
本発明に係る端末装置は、送信データが初回送信データ又は繰り返し送信データのいずれであるかを示す識別指示データを受信する指示データ受信部と、識別指示データに基づいて、送信データが初回送信データ又は繰り返し送信データのいずれであるかを判断する指示データ判断部と、指示データ判断部による指示データ判断結果に基づいて、送信データを受信するか否かを判断する受信判断部と、受信判断部による受信判断結果に基づいて、送信データを受信する送信データ受信部とを備えることを特徴とする。「指示データ判断結果」は、識別指示データに基づいて、送信データが初回送信データ又は繰り返し送信データのいずれであるかを判断した結果をいう。「受信判断結果」は、送信データを受信するか否かを判断した結果をいう。
【００１０】
このような端末装置によれば、識別指示データを受信し、送信データが、初めて送信される初回送信データであるか、既に一度は送信され、繰り返し送信される繰り返し送信データのいずれであるかを判断できる。そして、端末装置は、その指示データ判断結果に基づいて、送信データを受信するか否かを判断して送信データを受信できる。よって、端末装置は、必要な送信データを適切に受信できる。
【００１１】
受信判断部は、指示データ判断結果と、送信データ受信部による送信データの受信結果に基づいて、送信データを受信するか否かを判断することが好ましい。これによれば、端末装置は、指示データ判断結果に加え、これまでの送信データの受信結果も考慮して、より適切に必要な送信データだけを受信できる。
【００１２】
更に、指示データ判断部は、複数の識別指示データに基づいて、送信データが初回送信データ又は繰り返し送信データのいずれであるかを判断することが好ましい。これによれば、端末装置は、より正確に初回送信データであるか、繰り返し送信データであるかを判断できる。よって、端末装置は、より適切に必要な送信データだけを受信できる。
【００１３】
本発明に係る通信システムは、端末装置に送信される送信データが、初回送信データ又は繰り返し送信データのいずれであるかを判断し、送信データ判断結果に基づいて、送信データが初回送信データ又は繰り返し送信データのいずれであるかを示す識別指示データを作成し、その識別指示データを端末装置に送信する通知装置と、識別指示データを受信し、その識別指示データに基づいて送信データが初回送信データ又は繰り返し送信データのいずれであるかを判断し、指示データ判断結果に基づいて送信データを受信するか否かを判断し、受信判断結果に基づいて送信データを受信する端末装置とを備えることを特徴とする。
【００１４】
本発明に係る識別指示データを通知する際の通信方法は、端末装置に送信される送信データが、初回送信データ又は繰り返し送信データのいずれであるかを判断し、送信データ判断結果に基づいて、送信データが初回送信データ又は繰り返し送信データのいずれであるかを示す識別指示データを作成し、識別指示データを端末装置に送信することを特徴とする。
【００１５】
本発明に係る送信データを受信する際の通信方法は、送信データが初回送信データ又は繰り返し送信データのいずれであるかを示す識別指示データを受信し、識別指示データに基づいて送信データが初回送信データ又は繰り返し送信データのいずれであるかを判断し、指示データ判断結果に基づいて送信データを受信するか否かを判断し、受信判断結果に基づいて送信データを受信することを特徴とする。
【発明の効果】
【００１６】
以上説明したように、本発明によれば、端末装置が必要な送信データを適切に受信できるようにすることができる。
【発明を実施するための最良の形態】
【００１７】
（移動通信システム）
図１に示すように、移動通信システム１００は、移動局１０と、基地局２０と、無線制御装置３０と、コアネットワーク４０と、コンテンツサーバ５０とを備える。移動通信システム１００は、複数の移動局１０に、マルチメディアコンテンツ等を、ブロードキャスト送信又はマルチキャスト送信するＭＢＭＳ（Multimedia Broadcast Multicast Service）を行う。
【００１８】
コンテンツサーバ５０は、コアネットワーク４０、無線制御装置３０、基地局２０を介して、複数の移動局１０に、マルチメディアコンテンツ等をブロードキャスト送信又はマルチキャスト送信する。無線制御装置３０は、基地局２０と移動局１０との間の無線通信を制御する。基地局２０は、無線制御装置３０の制御に従って、移動局１０と無線チャネルを用いてデータを送受信する。移動局１０は、基地局２０と無線チャネルを用いてデータを送受信する。移動局１０は、基地局２０を介して、無線制御装置３０やコンテンツサーバ５０、コアネットワーク４０に設置された通信装置とデータを送受信する。
【００１９】
移動通信システム１００には、図２に示す通知装置６０が設けられる。通知装置６０は、移動局１０等の端末装置に送信される送信データが、初回送信データ又は繰り返し送信データのいずれであるかを通知する。通知装置６０を設ける場所は限定されず、コンテンツサーバ５０、コアネットワーク４０内、無線制御装置３０、基地局２０に設けることができる。
【００２０】
まず、移動通信システム１００において行われるＭＢＭＳに用いられる無線チャネルについて説明する。ＭＢＭＳに用いられる無線チャネルには、ＭＴＣＨ（MBMS Traffic CHannel）と、ＭＣＣＨ（MBMS Control CHannel）と、ＭＩＣＨ（MBMS paging Indicator CHannel）がある。
【００２１】
ＭＴＣＨは、ＭＢＭＳにより送信されるマルチキャストコンテンツを送信するデータチャネルである。ＭＣＣＨは、ＭＴＣＨを受信するために必要な制御データを送信する制御チャネルである。ＭＩＣＨは、ブロードキャスト送信又はマルチキャスト送信に関する指示データを送信する指示チャネルである。ＭＩＣＨは、指示データとして、通知Indicator（Notification Indicator、以下「ＮＩ」と表す）を送信する。ＮＩは、ＭＣＣＨの受信を指示する。ＮＩがオンの場合には受信の必要があることを示し、ＮＩがオフの場合には受信の必要がないことを示す。ＭＩＣＨ上に、ＭＢＭＳに応じてＮＩがマッピングされ、ＮＩが送信される。
【００２２】
ＭＢＭＳに興味がある移動局１０は、まず、ＭＩＣＨを受信してＮＩを確認する。移動局１０は、ＮＩがオンの場合にＭＣＣＨを受信する。そして、移動局１０は、ＭＣＣＨにより受信した制御データに従って、ＭＴＣＨを受信する。このように、移動局１０は、興味のあるＭＢＭＳが提供されているか否かを、ＭＩＣＨ及びＭＣＣＨを受信することにより判断できる。よって、移動局１０は、マルチメディアコンテンツの受信を希望しないときに、無駄にＭＴＣＨを受信し、モニタリングする必要がない。そのため、移動局１０の電池の消耗を抑えることができる。
【００２３】
図３に示すように、ＭＣＣＨ２により送信される制御データは、Repetition periodと呼ばれる周期に１回送信される。又、ＭＣＣＨ２により送信される制御データは、Modification periodと呼ばれる周期の間は、変更されることがない。即ち、複数回同じ制御データが送信データとして繰り返し送信される。これにより、移動局１０は誤りなく制御データを受信できる。
【００２４】
ＭＩＣＨ１について図４を用いてより詳細に説明する。Repetition periodは、各移動局１０がＭＩＣＨ１を受信する複数の受信タイミングに分割されている。即ち、１つのRepetition periodにおいて、複数の移動局１０のＭＩＣＨ１１，１２，１ｎ，１ｘ−１，１ｘが送信される。各移動局１０は、自身に割り当てられている受信タイミングに送信されるＭＩＣＨを受信する。例えば、ユーザＩＤ「１」の移動局１０は、ＭＩＣＨ１１を、ユーザＩＤ「ｎ」の移動局１０は、ＭＩＣＨ１ｎを受信する。移動局１０は、自身の受信タイミング以外では、受信機能をオフにすることができる。
【００２５】
ＭＩＣＨの１フレームは、３００ビットで構成される。最初の２８８ビットを均等に分割し、ＮＩの送信に使用する。最後の１２ビットは使用しない。図４では、２８８ビットを１８等分し、１つのＭＩＣＨ１ｎにおいて１８個のＮＩ１〜ＮＩ１８を送信する。１つのＮＩの長さは１６ビットになる。各ＮＩ１〜ＮＩ１８はそれぞれ、各ＭＢＭＳにマッピングされ、各ＭＢＭＳに関する指示を行う。例えば、ＮＩ１を「ＭＢＭＳ＃１」に、ＮＩ２を「ＭＢＭＳ＃２」に、ＮＩ６を「ＭＢＭＳ＃６」にマッピングし、ＮＩ１，ＮＩ２，ＮＩ６によりそれぞれＭＢＭＳ＃１、ＭＢＭＳ＃２、ＭＢＭＳ＃６に関する指示を行うことができる。
【００２６】
移動局１０は、興味のあるＭＢＭＳに関する指示を行うＮＩを確認する。移動局１０は、ＮＩがオンの場合には、ＭＣＣＨの受信を開始する。例えば、ＭＩＣＨ１ｎを受信する移動局１０は、ＮＩ１,ＮＩ２,ＮＩ６がオンであるため、ＮＩ１,ＮＩ２,ＮＩ６において指示されるＭＢＭＳ＃１、ＭＢＭＳ＃２、ＭＢＭＳ＃６に興味がある場合には、ＭＣＣＨの受信を開始する。ＮＩは、例えば、ＭＢＭＳによるマルチメディアコンテンツの送信を開始するとき、送信方法や送信内容を変更するとき、送信を終了するとき等にオンに設定される。尚、ＭＩＣＨ１により送信される指示データも、Modification periodと呼ばれる周期の間は、変更されることがない。即ち、複数回同じＭＩＣＨ１が繰り返し送信される。これにより、移動局１０は誤りなく指示データを受信できる。
【００２７】
次に、通知装置６０及び移動局１０についてより詳細に説明する。図２に示すように通知装置６０は、送信データ判断部６１と、指示データ作成部６２と、指示データ送信部６３とを備える。
【００２８】
送信データ判断部６１は、端末装置に送信する送信データが、初回送信データ又は繰り返し送信データのいずれであるかを判断する。送信データ判断部６１は、端末装置に送信する送信データとして、移動局１０に送信する制御データについて判断する。送信データ判断部６１は、送信データ（制御データ）を取得する。例えば、通知装置６０が、基地局２０や無線制御装置３０に設けられている場合には、送信データ判断部６１は、基地局２０や無線制御装置３０のネットワークインタフェースが、無線制御装置３０やコアネットワーク４０から受信した送信データを、ネットワークインタフェースから取得する。
【００２９】
送信データ判断部６１は、送信データの送信回数をカウントすることにより、初回送信データ又は繰り返し送信データであるかを判断できる。例えば、送信データ判断部６１は、取得した送信データをこれまでに取得したことがなく、送信回数が０回の場合には初回送信データであると判断する。送信データ判断部６１は、取得した送信データの送信回数が１回以上の場合には、繰り返し送信データであると判断する。送信データ判断部６１は、判断時に、その送信データの送信回数に「１」を加算する。
【００３０】
あるいは、送信データ判断部６１は、上位装置からの情報に基づいて初回送信データ又は繰り返し送信データであるかを判断できる。例えば、通知装置６０が基地局２０に設けられている場合、送信データ判断部６１は、コンテンツサーバ５０、コアネットワーク４０内の装置、又は、無線制御装置３０のいずれかから、送信データが初回送信データか繰り返し送信データであるかを示す情報を、送信データと共に取得できる。送信データ判断部６１は、送信データ判断結果を指示データ作成部６２に入力する。
【００３１】
指示データ作成部６２は、送信データ判断部６１による送信データ判断結果に基づいて、送信データが初回送信データ又は繰り返し送信データのいずれであるかを示す識別指示データを作成する。指示データ作成部６２は、指示チャネルであるＭＩＣＨにより送信する識別指示データを作成することができる。
【００３２】
具体的には、指示データ作成部６２は、識別指示データとして、ＭＩＣＨを用いて送信する、初回送信データであるか、繰り返し送信データであるかを示すＮＩ（以下、このＮＩを通常のＮＩと区別して、「識別ＮＩ」と表す）を作成する。そして、指示データ作成部６２は、ＭＩＣＨ上に作成した識別ＮＩをマッピングし、ＭＩＣＨを作成する。
【００３３】
例えば、指示データ作成部６２は、図５に示す識別ＮＩ３を作成できる。識別ＮＩ３は、初回送信用Indicator３ａと、繰り返し送信用Indicator３ｂとを含む。初回送信用Indicator３ａは、初回送信データであることを示す領域であり、繰り返し送信用Indicator３ｂは、繰り返し送信データであることを示す領域である。このように識別ＮＩは、１つのＮＩを２つの領域に分割し、各領域をそれぞれ初回送信用Indicator３ａと繰り返し送信用Indicator３ｂに割り当てて、作成できる。この場合、１つの識別ＮＩを１つのＭＢＭＳに割り当てることができる。
【００３４】
指示データ作成部６２は、送信データ判断結果が初回送信データの場合には、初回送信用Indicator３ａをオンにする。これにより、指示データ作成部６２は、送信データが初回送信データであることを示す識別ＮＩ３を作成できる。指示データ作成部６２は、送信データ判断結果が繰り返し送信データの場合には、繰り返し送信用Indicator３ｂをオンにする。これにより、指示データ作成部６２は、送信データが繰り返し送信データであることを示す識別ＮＩ３を作成できる。
【００３５】
あるいは、指示データ作成部６２は、初回送信用Indicator３ａにフラグを設定することにより、送信データが初回送信データであることを示す識別ＮＩ３を作成したり、繰り返し送信用Indicator３ｂにフラグを設定することにより、送信データが繰り返し送信データであることを示す識別ＮＩ３を作成したりしてもよい。
【００３６】
初回送信用Indicator３ａと繰り返し送信用Indicator３ｂの長さは均等であってもよく、異なってもよい。例えば、指示データ作成部６２は、初回送信用Indicator３ａは１２ビット、繰り返し送信用Indicator３ｂは４ビットとし、各Indicatorの送信に用いる電力値を異なる値に設定してもよい。指示データ作成部６２は、作成した識別ＮＩ３を指示データ送信部６３に入力する。
【００３７】
図５に示す識別ＮＩを用いる場合のＭＩＣＨにおける識別ＮＩ送信部分を図６に示す。図６では、１６ビットの識別ＮＩを均等に分割し、８ビットの初回送信用Indicatorと繰り返し送信用Indicatorを用いる。ＭＢＭＳ＃１に初回送信用Indicator１０１ａと繰り返し送信用Indicator１０１ｂが、ＭＢＭＳ＃２に初回送信用Indicator１０２ａと繰り返し送信用Indicator１０２ｂが、ＭＢＭＳ＃６に初回送信用Indicator１０６ａと繰り返し送信用Indicator１０６ｂが割り当てられている。以降順番にＭＢＭＳが割り当てられ、最後の初回送信用Indicator１１８ａと繰り返し送信用Indicator１１８ｂが、ＭＢＭＳ＃１８に割り当てられている。
【００３８】
図６では、初回送信用Indicator１０１ａ，１０６ａがオンになっており、繰り返し送信用Indicator１０１ｂ，１０６ｂがオフになっているため、ＭＣＣＨにより送信されるＭＢＭＳ＃１、ＭＢＭＳ＃６に関する制御データは、初回送信データであることを示している。一方、初回送信用Indicator１０２ａがオフになっており、繰り返し送信用Indicator１０２ｂがオンになっているため、ＭＣＣＨにより送信されるＭＢＭＳ＃２に関する制御データは繰り返し送信データであることを示している。尚、ＭＢＭＳ＃１８のように、初回送信用Indicator１１８ａ、繰り返し送信用Indicator１１８ｂ共にオフになっている場合には、現在、そのＭＢＭＳに関する制御データがＭＣＣＨにおいて送信されていないことを示している。
【００３９】
又、指示データ作成部６２は、１つのＮＩを初回送信データであることを示す初回送信用の識別ＮＩに割り当てて、初回送信用の識別ＮＩとは別のＮＩを繰り返し送信データであることを示す繰り返し送信用の識別ＮＩに割り当てて、識別ＮＩを作成できる。この場合、２つの識別ＮＩを１組として、１つのＭＢＭＳに割り当てることができる。
【００４０】
２つの識別ＮＩを１組にして用いる場合のＭＩＣＨにおける識別ＮＩ送信部分を図７に示す。図７では、連続する２つの識別ＮＩを１組みにして用いる。ＭＢＭＳ＃１に初回送信用の識別ＮＩ１と繰り返し送信用の識別ＮＩ２が、ＭＢＭＳ＃２に初回送信用の識別ＮＩ３と繰り返し送信用の識別ＮＩ４が、ＭＢＭＳ＃６に初回送信用のＮＩ１１と繰り返し送信用のＮＩ１２が割り当てられている。以降順番にＭＢＭＳが割り当てられ、最後の初回送信用の識別ＮＩ１７と繰り返し送信用識別ＮＩ１８が、ＭＢＭＳ＃９に割り当てられている。
【００４１】
図７では、初回送信用の識別ＮＩ１と識別ＮＩ１１がオンになっており、繰り返し送信用の識別ＮＩ２と識別ＮＩ１２がオフになっているため、ＭＣＣＨにより送信されるＭＢＭＳ＃１、ＭＢＭＳ＃６に関する制御データは、初回送信データであることを示している。一方、初回送信用の識別ＮＩ３がオフになっており、繰り返し送信用の識別ＮＩ４がオンになっているため、ＭＣＣＨにより送信されるＭＢＭＳ＃２に関する制御データは繰り返し送信データであることを示している。尚、ＭＢＭＳ＃９のように、初回送信用のＮＩ１７と、繰り返し送信用のＮＩ１８が共にオフになっている場合には、現在、そのＭＢＭＳに関する制御データがＭＣＣＨにおいて送信されていないことを示している。
【００４２】
このように識別ＮＩによれば、送信データが初回送信データか繰り返し送信データかを識別可能である。これに対し、図４に示した通常のＮＩでは、ＭＢＭＳ＃１、ＭＢＭＳ＃２、ＭＢＭＳ＃６それぞれに対応するＮＩ１,ＮＩ２,ＮＩ６が全てオンとなっており、送信データが初回送信データか繰り返し送信データであるかを識別できない。
【００４３】
指示データ送信部６３は、識別指示データを端末装置に送信する。指示データ送信部６３は、識別ＮＩ３を移動局１０に送信する。通知装置６０が基地局２０に設けられている場合には、指示データ送信部６３は、識別ＮＩ３をＭＩＣＨにより移動局１０に送信する。通知装置６０が無線制御装置３０やコアネットワーク４０内の装置、コンテンツサーバ５０に設けられている場合には、指示データ送信部６３は、識別ＮＩ３を、基地局２０を介してＭＩＣＨにより移動局１０に送信する。指示データ送信部６３は、Modification period内で識別ＮＩ３を繰り返し送信する。
【００４４】
図８に示すように移動局１０は、指示データ受信部１１と、指示データ判断部１２と、受信判断部１３と、送信データ受信部１４とを備える。指示データ受信部１１は、送信データが初回送信データ又は繰り返し送信データのいずれであるかを示す識別指示データを受信する。指示データ受信部１１は、ＭＩＣＨにより識別ＮＩ３を受信する。指示データ受信部１１は、興味のあるＭＢＭＳに関する識別ＮＩ３を受信する。指示データ受信部１１は、受信した識別ＮＩ３を指示データ判断部１２に入力する。
【００４５】
指示データ判断部１２は、識別指示データに基づいて、送信データが初回送信データ又は繰り返し送信データのいずれであるかを判断する。指示データ判断部１２は、識別ＮＩ３に基づいて判断する。指示データ判断部１２は、複数の識別ＮＩ３に基づいて、送信データが初回送信データ又は繰り返し送信データのいずれであるかを判断することが好ましい。この場合、指示データ受信部１１は、Modification period内で繰り返し送信される識別ＮＩ３を２回以上受信する。
【００４６】
具体的には、指示データ判断部１２は、１つの識別ＮＩ３に基づいて判断する場合には、識別ＮＩ３が送信データが初回送信データであることを示す場合には、初回送信データであると判断する。一方、識別ＮＩ３が送信データが繰り返し送信データであることを示す場合には、繰り返し送信データであると判断する。
【００４７】
指示データ判断部１２は、複数の識別ＮＩ３に基づいて判断する場合には、以下のように判断できる。指示データ判断部１２は、例えば、連続して受信した識別ＮＩ３が、両方とも送信データが初回送信データであることを示す場合には、初回送信データであると判断し、両方とも送信データが繰り返し送信データであることを示す場合には、繰り返し送信データであると判断してもよい。
【００４８】
あるいは、指示データ判断部１２は、識別ＮＩ３が、送信データが初回送信データであることを示す場合には、初回送信データであると判断し、識別ＮＩ３が、送信データが繰り返し送信データであることを示す場合には、次に受信した識別ＮＩ３を確認するようにしてもよい。この場合、指示データ判断部１２は、次に受信した識別ＮＩ３も、送信データが繰り返し送信データであることを示す場合には、繰り返し送信データであると判断する。一方、指示データ判断部１２は、次に受信した識別ＮＩ３が、送信データが初回送信データであることを示す場合には、初回送信データであると判断する。尚、次に受信した識別ＮＩ３が、送信データが初回送信データであることを示す場合には、指示データ判断部１２は、更に次に受信した識別ＮＩ３についても確認し、送信データが初回送信データであることを示す場合には、初回送信データであると判断してもよい。
【００４９】
又、指示データ判断部１２は、複数の識別ＮＩ３を最大比合成や選択合成等により合成し、合成した識別ＮＩが、送信データが初回送信データであることを示すか、繰り返し送信データであることを示すかによって、判断してもよい。指示データ判断部１２は、指示データ判断結果を受信判断部１３に入力する。
【００５０】
受信判断部１３は、指示データ判断部１２による指示データ判断結果に基づいて、送信データを受信するか否かを判断する。受信判断部１３は、指示データ判断結果に加え、送信データ受信部１４による送信データの受信結果に基づいて、送信データを受信するか否かを判断することが好ましい。受信判断部１３は、受信結果を送信データ受信部１４から取得する。
【００５１】
受信判断部１３は、指示データ判断結果に基づいて判断する場合には、例えば、指示データ判断結果が初回送信データの場合には、送信データ、即ち、ＭＣＣＨにより送信される制御データを受信すると判断する。一方、受信判断部１３は、指示データ判断結果が繰り返し送信データの場合には、送信データを受信しないと判断する。
【００５２】
受信判断部１３は、指示データ判断結果及び受信結果に基づいて判断する場合にも、指示データ判断結果が初回送信データの場合には、送信データを受信すると判断する。一方、受信判断部１３は、指示データ判断結果が繰り返し送信データの場合には、受信結果に基づいて、送信データを既に正しく受信しているか否かを判断する。例えば、受信判断部１３は、ＭＣＣＨにより繰り返し送信されている制御データを、既に正しく受信しているか否かを判断する。受信判断部１３は、送信データの受信が完了している場合には、送信データを受信しないと判断する。一方、受信判断部１３は、送信データの受信が完了していない場合には、送信データを受信すると判断する。受信判断部１３は、受信判断結果を送信データ受信部１４に入力する。
【００５３】
送信データ受信部１４は、受信判断部１３による受信判断結果に基づいて送信データを受信する。送信データ受信部１４は、受信判断結果が送信データの受信を示す場合には、送信データとして、ＭＣＣＨにより送信される制御データを受信する。一方、送信データ受信部１４は、受信判断結果が送信データを受信しないことを示す場合には、制御データを受信しない。このとき、送信データ受信部１４は、受信機能をオフにできる。送信データ受信部１４は、送信データの受信結果を受信判断部１３に入力する。
【００５４】
（通信方法）
次に、移動通信システム１００を用いた通信方法の手順について説明する。図９に通知手順を示す。通知装置６０は、制御データ等の移動局１０に送信される送信データが、初回送信データ又は繰り返し送信データのいずれであるかを判断する（Ｓ１０１）。通知装置６０は、送信データ判断結果に基づいて、送信データが初回送信データ又は繰り返し送信データのいずれであるかを示す識別ＮＩを作成する（Ｓ１０２）。そして、通知装置６０は、作成した識別ＮＩを移動局１０に送信する（Ｓ１０３）。
【００５５】
図１０に受信手順を示す。移動局１０は、識別ＮＩを通知装置６０から受信する（Ｓ２０１）。移動局１０は、受信した識別ＮＩに基づいて送信データが初回送信データ又は繰り返し送信データのいずれであるかを判断する（Ｓ２０２）。移動局１０は、指示データ判断結果や受信結果に基づいて送信データを受信するか否かを判断する（Ｓ２０３）。移動局１０は、受信判断結果に基づいて送信データを受信する（Ｓ２０４）。
【００５６】
（効果）
このような移動通信システム１００、通知装置６０、移動局１０及び通信方法によれば、通知装置６０は、制御データ等の送信データが、初めて送信される初回送信データであるか、既に一度は送信され、繰り返し送信される繰り返し送信データのいずれであるかを判断し、初回送信データか繰り返し送信データであるかを示す識別ＮＩを作成することができる。そして、通知装置６０は、その識別ＮＩを移動局１０に送信することにより、移動局１０に初回送信データか繰り返し送信データであるかを通知できる。これにより、通知装置６０は、移動局１０に必要な送信データだけを適切に受信させることができる。
【００５７】
更に、通知装置６０は、ブロードキャスト送信又はマルチキャスト送信に関するＮＩを送信するＭＩＣＨにより送信する識別ＮＩを作成できる。よって、通知装置６０は、既存のＭＩＣＨを利用して移動局１０に識別ＩＤを送信できる。
【００５８】
又、移動局１０は、識別ＮＩを受信し、送信データが初回送信データであるか、繰り返し送信データのいずれであるかを判断できる。そして、移動局１０は、その指示データ判断結果に基づいて、送信データを受信するか否かを判断して、制御データ等の送信データを受信できる。よって、移動局１０は、必要な送信データを適切に受信できる。
【００５９】
更に、移動局１０は、指示データ判断結果と、送信データ受信部１４による送信データの受信結果に基づいて、送信データを受信するか否かを判断することができる。そのため、移動局１０は、指示データ判断結果に加え、これまでの送信データの受信結果も考慮して、より適切に必要な送信データだけを受信できる。
【００６０】
又、移動局１０は、複数の識別指示データに基づいて、送信データが初回送信データ又は繰り返し送信データのいずれであるかを判断することができる。そのため、移動局１０は、誤判断確率を抑えることができ、より正確に初回送信データであるか、繰り返し送信データであるかを判断できる。よって、移動局１０は、より適切に必要な送信データだけを受信できる。
【００６１】
このように、移動通信システム１００によれば、例えば、ブロードキャスト送信やマルチキャスト送信において、初回送信データであるか繰り返し送信データであるかを、識別ＮＩを用いて移動局１０に周知することができる。そのため、移動局１０は、必要な送信データだけを適切に受信することができる。その結果、移動局１０は、無駄な送信データを受信する時間を短縮でき、移動局１０の電池消耗を低減できる。又、移動局１０は、無駄な送信データの受信による制御負荷の増大も防止できる。
【００６２】
尚、本発明は、上記実施形態に限定されるものではなく、種々の変更が可能である。送信データは、端末装置に送信されるものであれば限定されず、ブロードキャスト送信又はマルチキャスト送信されるマルチメディアコンテンツであってもよい。又、端末装置も移動局１０に限定されず、パーソナルコンピュータ等であってもよい。
【図面の簡単な説明】
【００６３】
【図１】本発明の実施の形態に係る通信システムの構成を示す図である。
【図２】本発明の実施の形態に係る通知装置の構成を示すブロック図である。
【図３】本発明の実施の形態に係るＭＩＣＨ及びＭＣＣＨを示す図である。
【図４】本発明の実施の形態に係るＭＩＣＨを示す図である。
【図５】本発明の実施の形態に係る識別ＮＩを示す図である。
【図６】本発明の実施の形態に係る初回送信用Indicatorと繰り返し送信用Indicatorを用いる場合のＭＩＣＨを示す図である。
【図７】本発明の実施の形態に係る初回送信用の識別ＮＩと繰り返し送信用の識別ＮＩを用いる場合のＭＩＣＨを示す図である。
【図８】本発明の実施の形態に係る移動局の構成を示すブロック図である。
【図９】本発明の実施の形態に係る通信方法における通知手順を示すフロー図である。
【図１０】本発明の実施の形態に係る通信方法における受信手順を示すフロー図である。
【符号の説明】
【００６４】
１０  移動局
１１  指示データ受信部
１２  指示データ判断部
１３  受信判断部
１４  送信データ受信部
２０  基地局
３０  無線制御装置
４０  コアネットワーク
５０  コンテンツサーバ
６０  通知装置
６１  送信データ判断部
６２  指示データ作成部
６３  指示データ送信部
１００  移動通信システム
【図１】
2006054615.tif 000003
【図２】
2006054615.tif 000004
【図３】
2006054615.tif 000005
【図４】
2006054615.tif 000006
【図５】
2006054615.tif 000007
【図６】
2006054615.tif 000008
【図７】
2006054615.tif 000009
【図８】
2006054615.tif 000010
【図９】
2006054615.tif 000011
【図１０】
2006054615.tif 000012